(57)【特許請求の範囲】
【請求項１】
ゲーム開始時に、四角形枠で囲まれた四角形盤面の中心に表示された中心スポット上に中心駒を配置すると共に、盤面の中心スポット周囲に各競技者の識別表示が施された複数の的駒を所定の配列で配置し、盤面の所定エリアから各競技者の弾き駒を弾いて前記的駒及び中心駒に当てると共にそれらを盤面の四隅に開口されたポケットに入れることを争うゲームに使用されるゲーム盤に使用される調整板であり、
前記四角形枠内側面との間に摺動間隙を介して盤面上に着脱可能に載置されて表面に第二盤面を形成する四角形透明板からなり、該第二盤面の四隅に、前記盤面の各ポケット開口部上において、該ポケット開口部と形状及び／又は大きさを異にする第二ポケット開口部を穿設したことを特徴とするゲーム盤用調整板。
【請求項２】
盤面における前記ポケット開口部が直角の中心角を有する扇形であるゲーム盤に使用される調整板であって、第二盤面における前記第二ポケット開口部が前記ポケット開口部より小さな円形である請求項１に記載のゲーム盤用調整板。
【請求項３】
盤面における前記ポケット開口部が直角の中心角を有する扇形であるゲーム盤に使用される調整板であって、第二盤面における前記第二ポケット開口部が前記ポケット開口部より小さな、直角の中心角を有する扇形である請求項１に記載のゲーム盤用調整板。
【請求項４】
盤面における前記ポケット開口部が円形であるゲーム盤に使用される調整板であって、第二盤面における前記第二ポケット開口部が前記ポケット開口部より小さな円形である請求項１に記載のゲーム盤用調整板。
【発明の詳細な説明】
【技術分野】
【０００１】
本発明は、盤上ゲームの一種として知られるカロム、キャロム又はそれらに類似したゲームを実施するための既存のゲーム盤に使用して四隅のポケット開口部を形状及び／又は大きさにおいて実質的に変更し、それによってゲーム難易度やゲーム形態を変更することを可能にしたゲーム盤用調整板に関する。
【背景技術】
【０００２】
ビリヤードとおはじき遊びを合体させたような盤上ゲームは、カロム、キャロムその他の名称で世界的にも広く知られ、それらを実施するためのゲーム盤や基本ルールは概して類似するものの国や地域によって相違点も多く、また同様のゲーム盤を使用しても異なったルール、独自のルールが採用される場合もある。
【０００３】
例えば、特に滋賀県の湖東、湖北地方で最も広く遊び継がれているカロムに使用されるゲーム盤は、四角形枠で囲まれた盤面の四隅に、直角の中心角を有する扇形や直角三角形のポケット開口部が穿設され、さらに盤面の中心に、中心駒をゲーム開始時に配置する位置を指示する中心スポットが表示され、盤面の中心スポット周囲にそれと同心に、各競技者の識別表示が施された的駒をゲーム開始時に交互に円形状に配置する位置を指示するセンターサークルが表示され、盤面の前記センターサークル外側に、盤面の各側辺に沿って、各競技者の弾き駒を発射する位置を指示するエリアラインが表示され、且つ盤面のエリアライン外側に、盤面の各側辺に対応して、各競技者の弾き駒を最初に発射する位置を指示するティースポットが表示されて構成される。
【０００４】
前記カロムゲーム盤を使用した一つのゲーム方法は、２名又は２名ずつペアを組んだ２組の各競技者が初回は各自の側のティースポット上に、次回以降は各自の側のエリアライン上に配置した自らの弾き駒を弾いて盤面上にある自他の的駒及び中心駒に当て、何れかのポケットに自らの的駒を順次入れると共に中心駒を最後に入れることを争うものである（非特許文献１）。
【０００５】
他方、国際キャロム連盟の傘下にある日本キャロム連盟で採用されている盤上ゲームは、前記盤上ゲームのカロムに対してキャロムと称され、これに使用されるキャロムゲーム盤では、ゲーム開始時に、盤面の中心スポット周囲にそれと同心にセンターサークルが表示され、該センターサークル内おいて、各競技者の識別表示が施された計１８個の的駒の内の６個が内側に、１２個がその外側に、何れも交互に六角形状に互いに略最密状態で配置される。前記キャロム用のゲーム盤では、盤面の四隅に円形のポケット開口部が穿設されている（非特許文献１）。
【０００６】
前記キャロムゲーム盤を使用した一つのゲーム方法は、２名又は２名ずつペアを組んだ２組の各競技者が各自の側のベースライン上に配置した自らの弾き駒を弾いて盤面上にある自他の的駒及び中心駒に当て、何れかのポケットに自らの的駒及び中心駒を入れることを争うものである（非特許文献１）。
【非特許文献１】杉原正樹編著「カロムロード」２００２年２月１５日サンライズ出版発行
【発明の開示】
【発明が解決しようとする課題】
【０００７】
前記ゲーム盤では、何れも、自らの弾き駒を弾いて盤面上にある自他の的駒等に当て、それらを盤面の四隅にある何れかのポケットに入れることを競うものであり、従って前記ポケット開口部の形状及び／又は大きさはゲーム難易度やゲーム形態等に影響を与えることになる。
【０００８】
そこで、例えば、直角の中心角を有する扇形や直角三角形のポケット開口部を備えた既述カロム盤において、仮に前記ポケット開口部がより小さな扇形や直角三角形に変更されたとすれば、ゲーム難易度は上昇し、競技者に新たな興味を喚起することが可能である。また、例えば、直角の中心角を有する扇形や直角三角形のポケット開口部を備えた既述カロム盤において、仮に前記ポケット開口部がより小さな円形に変更されたとすれば、ゲーム難易度が上昇すると共にポケット部分において既述キャロム盤に類似するゲーム盤となり、競技者に新たな興味を喚起することが可能である。さらに、例えば、円形のポケット開口部を備えた既述キャロム盤において、仮に前記ポケット開口部がより小さな円形に変更されたとすれば、この場合もゲーム難易度は確実に上昇することになる。
【０００９】
しかしながら、従来の前記ゲーム盤では、ポケット開口部の形状及び／又は大きさを変更することは不可能であり、これを実現するためには、所要形状及び／又は大きさのポケット開口部を備えた別のゲーム盤を使用する外はなかった。なお、あるゲーム盤の背面側に別形態のゲーム盤を両面仕立てで配置することも可能であるが、盤構造が複雑になると共に大重量且つコスト高になる問題が生じる。
【００１０】
本発明の解決すべき課題は、前記問題点に鑑み、既存のゲーム盤に使用して四隅のポケット開口部を形状及び／又は大きさにおいて実質的に変更し、それによってゲーム難易度やゲーム形態等を容易に変更することを可能にしたゲーム盤用調整板を提供することにある。
【課題を解決するための手段】
【００１１】
請求項１に記載の発明に係るゲーム盤用調整板は、ゲーム開始時に、四角形枠で囲まれた四角形盤面の中心に表示された中心スポット上に中心駒を配置すると共に、盤面の中心スポット周囲に各競技者の識別表示が施された複数の的駒を所定の配列で配置し、盤面の所定エリアから各競技者の弾き駒を弾いて前記的駒及び中心駒に当てると共にそれらを盤面の四隅に開口されたポケットに入れることを争うゲームに使用されるゲーム盤に使用される調整板であり、
前記四角形枠内側面との間に摺動間隙を介して盤面上に着脱可能に載置されて表面に第二盤面を形成する四角形透明板からなり、該第二盤面の四隅に、前記盤面の各ポケット開口部上において、該ポケット開口部と形状及び／又は大きさを異にする第二ポケット開口部を穿設したことを特徴としている。
【００１２】
前記構成において、既存のゲーム盤上に前記ゲーム盤用調整板が載置された場合、盤面に表示されたカロム盤における中心スポット、センターサークル、エリアライン、ティースポット等のマーク類やキャロム盤における中心スポット、センターサークル、ベースライン等のマーク類が四角形透明板を介して第二盤面に視認可能に投影される。また、第二盤面の四隅には、盤面の各ポケット開口部上において、該盤面のポケット開口部と形状及び／又は大きさを異にする第二ポケット開口部が開口されている。
【００１３】
前記のように調整板の載置状態において、ゲーム開始時に、盤面の中心スポットの位置に対応する第二盤面上の位置に中心駒が配置されると共に、盤面の中心スポット周囲における各競技者の的駒の配列位置に対応する第二盤面上の位置には該的駒が所定の配列で配置され、ゲーム、即ち自らの弾き駒を弾いて盤面上にある自他の的駒等に当て、それらを盤面の四隅にある何れかのポケットに入れるゲームは全て第二盤面上で行われる。ゲームに際して、弾き駒で弾かれて第二盤面の各四隅に向う的駒等は、第二ポケット開口部から入り、その下位にある盤面の対応するポケット開口部を通過してポケット内に落下することになる。盤面のポケット開口部と形状及び／又は大きさを異にする第二ポケット開口部を有するゲーム盤用調整板を種々用意し、それらを必要に応じて選択して既存のゲーム盤上に適用することにより、ゲーム難易度やゲーム形態等を異にする種々のゲームに即応することができる。
【００１４】
なお、前記調整板の第二盤面には、必要に応じて、盤面には表示されていないマーク類や盤面に表示されたマーク類の機能を補助し、或いは促進するようなマーク類等が表示されていてもよい。第二盤面への前記マーク類の表示は、透明板表面への表示のみならず、透明板の中間又は裏面への表示の場合を包含する。
【００１５】
例えば、盤面の中心スポット周囲における各競技者の的駒の配列位置に対応する第二盤面上の位置には、ゲーム開始時に前記的駒が所定の配列で配置されるが、前記的駒の配置作業を容易にするために、例えば、第二盤面に前記的駒の配置位置を指示するマーク類が表示されてもよい。なお、前記的駒の配置作業を容易にするために、盤面に前記的駒の配置位置を指示するマーク類が表示されていてもよいが、その場合は、盤面に表示された前記配置位置を指示するマーク類が四角形透明板を介して第二盤面に視認可能に投影されるので、第二盤面に前記的駒の配置位置を指示するマーク類を表示する必要はなくなる。
【００１６】
請求項２に記載の発明に係るゲーム盤用調整板は、盤面における前記ポケット開口部が直角の中心角を有する扇形であるゲーム盤に使用される調整板であって、第二盤面における前記第二ポケット開口部が前記ポケット開口部より小さな円形であるものである。
【００１７】
前記構成においては、前記盤面の四隅に開口された扇形のポケット開口部に代えて、第二盤面の四隅に、前記盤面における扇形のポケット開口部上においてそれより小さく開口された円形の第二ポケット開口部が第二盤面と共にゲームに供されることになり、それによって、ゲーム難易度やゲーム形態等の変更が可能になると共にポケット部分において既述キャロム盤に類似するゲーム盤となる。
【００１８】
請求項３に記載の発明に係るゲーム盤用調整板は、盤面における前記ポケット開口部が直角の中心角を有する扇形であるゲーム盤に使用される調整板であって、第二盤面における前記第二ポケット開口部が前記ポケット開口部より小さな、直角の中心角を有する扇形であるものである。
【００１９】
前記構成においては、前記盤面の四隅に開口された扇形のポケット開口部に代えて、第二盤面の四隅に、前記盤面における扇形のポケット開口部上においてそれより小さく開口された扇形の第二ポケット開口部が第二盤面と共にゲームに供されることになり、それによって、ゲーム形態を維持しつつゲーム難易度等の変更が可能になる。
【００２０】
請求項４に記載の発明に係るゲーム盤用調整板は、盤面における前記ポケット開口部が円形であるゲーム盤に使用される調整板であって、第二盤面における前記第二ポケット開口部が前記ポケット開口部より小さな円形であるものである。
【００２１】
前記構成においては、前記盤面の四隅に開口された円形のポケット開口部に代えて、第二盤面の四隅に、前記盤面における円形のポケット開口部上においてそれより小さく開口された円形の第二ポケット開口部が第二盤面と共にゲームに供されることになり、それによって、ゲーム形態を維持しつつゲーム難易度等の変更が可能になる。
【発明の効果】
【００２２】
請求項１に係る発明によれば、既存のゲーム盤上に載置して使用するゲーム盤用調整板が提供され、該調整板の載置によって、盤面に表示された中心スポットその他のマーク類を、四角形透明板を介して第二盤面に視認可能に投影させると共に、第二盤面の四隅に、盤面の各ポケット開口部上において、該盤面のポケット開口部と形状及び／又は大きさを異にする第二ポケット開口部を開口させるので、的駒等を入れるべき開口部が盤面のポケット開口部からそれとは形状及び／又は大きさを異にする第二盤面の第二ポケット開口部に実質的に変更されると共にそれによってゲーム難易度やゲーム形態等が容易に変更される。
【００２３】
請求項２に係る発明によれば、第二盤面の四隅に、前記盤面における扇形のポケット開口部上においてそれより小さく開口された円形の第二ポケット開口部が第二盤面と共にゲームに供されるので、ゲーム難易度やゲーム形態等の変更が可能になると共にポケット部分において既述キャロム盤に類似するゲーム盤となる。
【００２４】
請求項３に係る発明によれば、第二盤面の四隅に、前記盤面における扇形のポケット開口部上においてそれより小さく開口された扇形の第二ポケット開口部が第二盤面と共にゲームに供されるので、ゲーム形態を維持しつつゲーム難易度等の変更が可能になる。
【００２５】
請求項４に係る発明によれば、第二盤面の四隅に、前記盤面における円形のポケット開口部上においてそれより小さく開口された円形の第二ポケット開口部が第二盤面と共にゲームに供されるので、ゲーム形態を維持しつつゲーム難易度等の変更が可能になる。
【発明を実施するための最良の形態】
【００２６】
以下に、本発明を実施例に基いて具体的に説明する。
図１（Ａ）及び（Ｂ）は、扇形のポケット開口部を有するゲーム盤の盤面上に、本発明に係る、円形の第二ポケット開口部を有するゲーム盤用調整板を載置してなる結合体の各々平面図及びゲーム盤の対角方向で切断した要部拡大断面図である。
図２（Ａ）及び（Ｂ）は、扇形のポケット開口部を有するゲーム盤の盤面上に、本発明に係る、扇形の第二ポケット開口部を有するゲーム盤用調整板を載置してなる結合体の各々平面図及びゲーム盤の対角方向で切断した要部拡大断面図である。
図３（Ａ）及び（Ｂ）は、円形のポケット開口部を有するゲーム盤の盤面上に、本発明に係る、円形の第二ポケット開口部を有するゲーム盤用調整板を載置してなる結合体の各々平面図及びゲーム盤の対角方向で切断した要部拡大断面図である。
図４（Ａ）及び（Ｂ）は、盤面の四隅に扇形のポケット開口部を有する通常のゲーム盤の各々的駒等の配置前及び配置後における平面図である。
図５（Ａ）及び（Ｂ）は、盤面の四隅に円形のポケット開口部を有する通常のゲーム盤の各々的駒等の配置前及び配置後における平面図である。
【実施例】
【００２７】
［通常のゲーム盤Ｃ１］
図４（Ａ）及び（Ｂ）に示すゲーム盤Ｃ１において、四角形枠１で囲まれた盤面２の四隅にポケット３が穿設されると共に、各ポケット３に直角の中心角を有する扇形のポケット開口部３eが開口され、盤面２の中心に中心スポット４が表示され、さらに盤面２の中心スポット４周囲に、それと同心にセンターサークル５が表示され、盤面２のセンターサークル５外側に、盤面２の各側辺に沿ってエリアライン６が表示され、且つ盤面２のエリアライン６外側に、盤面２の各側辺に対応してティースポット７a、７bが表示されている。
【００２８】
ゲーム開始に際しては、図４（Ｂ）に示すように、盤面２の中心スポット４上に中心駒１１が配置され、またセンターサークル５上には、各競技者の色分けによる識別表示が施された的駒１２a、１２b（各競技者につき１２個、合計で２４個）が交互に円形状に配置され、各競技者は、最初はティースポット７a、７bの位置から、それ以降はエリアライン６外側の位置から自らの弾き駒（図示省略）を弾き、中心駒１１及び相手の的駒１２a、１２bに当ててこれらをポケット開口部３eからポケット３内に入れるものである。
【００２９】
［通常のゲーム盤Ｃ２］
図５（Ａ）及び（Ｂ）に示すゲーム盤Ｃ２において、四角形枠１０１で囲まれた盤面１０２の四隅にポケット１０３が穿設されると共に、各ポケット１０３に円形のポケット開口部１０３eが開口され、盤面１０２の中心に中心スポット１０４が表示され、さらに盤面１０２の中心スポット１０４周囲に、それと同心にセンターサークル１０５が表示され、盤面１０２のセンターサークル１０５外側に、盤面１０２の各側辺に沿って平行２本のベースライン１０６が表示されている。
【００３０】
ゲーム開始に際しては、図５（Ｂ）に示すように、盤面１０２の中心スポット１０４上に中心駒１１が配置され、また中心スポット１０４周囲におけるセンターサークル１０５内側に、各競技者の色分けによる識別表示が施された的駒１２a、１２b（各競技者につき９個、合計で１８個）が内側に６個、その外側に１２個、何れも交互に六角形状に略最密状態で配置され、各競技者は、ベースライン１０６の位置から自らの弾き駒（図示省略）を弾き、中心駒１１及び相手の的駒１２a、１２bに当ててこれらをポケット開口部１０３eからポケット１０３内に入れるものである。
【００３１】
［実施例１］
図１（Ａ）及び（Ｂ）において、図４（Ａ）に示す通常のゲーム盤Ｃ１の盤面２上にゲーム盤用調整板Ｄ１が適用されている。
前記調整板Ｄ１は、四角形枠１内側面との間に摺動間隙を介して盤面２上に着脱可能に載置された四角形透明板からなり、該透明板表面に第二盤面２２が形成されると共に該第二盤面２２には盤面２表面上の中心スポット４、センターサークル５、エリアライン６、ティースポット７a、７b等のマーク類が四角形透明板を介して投影され、また第二盤面２２の四隅には、前記盤面２の扇形の各ポケット開口部３e上において、該ポケット開口部３eより小さな円形の第二ポケット開口部２３eが開口されている。
【００３２】
［実施例２］
図２（Ａ）及び（Ｂ）において、図４（Ａ）に示す通常のゲーム盤Ｃ１の盤面２上にゲーム盤用調整板Ｄ２が適用されている。
前記調整板Ｄ２は、四角形枠１内側面との間に摺動間隙を介して盤面２上に着脱可能に載置された四角形透明板からなり、該透明板表面に第二盤面３２が形成されると共に該第二盤面３２には盤面２表面上の中心スポット４、センターサークル５、エリアライン６、ティースポット７a、７b等のマーク類が四角形透明板を介して投影され、また第二盤面３２の四隅には、前記盤面２の扇形の各ポケット開口部３e上において、該ポケット開口部３eより小さな扇形の第二ポケット開口部３３eが開口されている。
【００３３】
［実施例３］
図３（Ａ）及び（Ｂ）において、図５（Ａ）に示す通常のゲーム盤Ｃ２の盤面１０２上にゲーム盤用調整板Ｄ３が適用されている。
前記調整板Ｄ３は、四角形枠１０１内側面との間に摺動間隙を介して盤面１０２上に着脱可能に載置された四角形透明板からなり、該透明板表面に第二盤面１２２が形成されると共に該第二盤面１２２には盤面１０２表面上の中心スポット１０４、センターサークル１０５、ベースライン１０６等のマーク類が四角形透明板を介して投影され、また第二盤面１２２の四隅には、前記盤面１０２の円形の各ポケット開口部１０３e上において、該ポケット開口部１０３eより小さな円形の第二ポケット開口部１２３eが開口されている。
【図面の簡単な説明】
【００３４】
【図１】図１（Ａ）及び（Ｂ）は、扇形のポケット開口部を有するゲーム盤の盤面上に、本発明に係る、円形の第二ポケット開口部を有するゲーム盤用調整板を載置してなる結合体の各々平面図及びゲーム盤の対角方向で切断した要部拡大断面図である。
【図２】図２（Ａ）及び（Ｂ）は、扇形のポケット開口部を有するゲーム盤の盤面上に、本発明に係る、扇形の第二ポケット開口部を有するゲーム盤用調整板を載置してなる結合体の各々平面図及びゲーム盤の対角方向で切断した要部拡大断面図である。
【図３】図３（Ａ）及び（Ｂ）は、円形のポケット開口部を有するゲーム盤の盤面上に、本発明に係る、円形の第二ポケット開口部を有するゲーム盤用調整板を載置してなる結合体の各々平面図及びゲーム盤の対角方向で切断した要部拡大断面図である。
【図４】図４（Ａ）及び（Ｂ）は、盤面の四隅に扇形のポケット開口部を有する通常のゲーム盤の各々的駒等の配置前及び配置後における平面図である。
【図５】図５（Ａ）及び（Ｂ）は、盤面の四隅に円形のポケット開口部を有する通常のゲーム盤の各々的駒等の配置前及び配置後における平面図である。
【符号の説明】
【００３５】
Ｃ１、Ｃ２  ゲーム盤
Ｄ１、Ｄ２、Ｄ３  ゲーム盤用調整板
１  四角形枠
２  盤面
３  ポケット
３e  ポケット開口部
４  中心スポット
５  センターサークル
６  エリアライン
７a、７b  ティースポット
１１  中心駒
１２a、１２b  的駒
２２  第二盤面
２３e  第二ポケット開口部
３２  第二盤面
３３e  第二ポケット開口部
１０１  四角形枠
１０２  盤面
１０３  ポケット
１０３e  ポケット開口部
１０４  中心スポット
１０５  センターサークル
１０６  ベースライン
１２２  第二盤面
１２３e  第二ポケット開口部
【要約】
【課題】  前記問題点に鑑み、既存のゲーム盤に使用して四隅のポケット開口部を形状及び／又は大きさにおいて実質的に変更し、それによってゲーム難易度やゲーム形態等を容易に変更することを可能にしたゲーム盤用調整板を提供する。
【解決手段】  ゲーム盤Ｃ１における四角形枠１内側面との間に摺動間隙を介して盤面２上に着脱可能に載置されて表面に第二盤面２２を形成する四角形透明板からなり、該第二盤面２２の四隅に、前記盤面２の各ポケット開口部３e上において、該ポケット開口部３eと形状及び／又は大きさを異にする第二ポケット開口部２３eを穿設したことを特徴としている。
【選択図】  図１【図１】
0004363578.tif 000002
【図２】
0004363578.tif 000003
【図３】
0004363578.tif 000004
【図４】
0004363578.tif 000005
【図５】
0004363578.tif 000006